【手続補正書】
【提出日】平成20年1月23日(2008.1.23)
【手続補正１】
【補正対象書類名】明細書
【補正対象項目名】特許請求の範囲
【補正方法】変更
【補正の内容】
【特許請求の範囲】
【請求項１】
紫外線の有害作用に対してその中の内容物を保護するためのプラスチック容器もしくはフィルムであって、
（ａ）透明もしくは淡色のプラスチックおよび
（ｂ）耐久性ヒドロキシフェニルベンゾトリアゾールおよびトリス−アリール−ｓ−トリアジン紫外線吸収剤からなる群から選択されたひとつもしくはそれ以上の化合物の有効な安定化量
を含む内容物貯蔵のためのプラスチック容器もしくはフィルム。
【請求項２】
前記ベンゾトリアゾール紫外線吸収剤が次式（Ｉ）、（ＩＩ）もしくは（ＩＩＩ）
【化１】
2003522242.tif 000001
（式中、Ｇ1およびＧ1’は独立して、水素原子もしくはハロゲン原子を表し、Ｇ2およびＧ2’は独立して、ハロゲン原子、ニトロ基、シアノ基、炭素原子数１ないし１２のペルフルオロアルキル基、−ＣＯＯＧ3、−Ｐ（Ｏ）（Ｃ6Ｈ5）2、−ＣＯ−Ｇ3、−ＣＯ−ＮＨ−Ｇ3、−ＣＯ−Ｎ（Ｇ3）2、−Ｎ（Ｇ3）−ＣＯ−Ｇ3、Ｅ3ＳＯ−もしくはＥ3ＳＯ2−を表すか；もしくはＧ2’は水素原子をも表し、Ｇ3は水素原子、炭素原子数１ないし２４の直鎖もしくは分枝鎖アルキル基、炭素原子数２ないし１８の直鎖もしくは分枝鎖アルケニル基、炭素原子数５ないし１２のシクロアルキル基、炭素原子数７ないし１５のフェニルアルキル基、フェニル基もしくは、１ないし４個の炭素原子数１ないし４のアルキル基によってフェニル環上で置換された該フェニル基もしくは該フェニルアルキル基を表し、Ｅ1は水素原子、炭素原子数１ないし２４の直鎖もしくは分枝鎖アルキル基、炭素原子数２ないし２４の直鎖もしくは分枝鎖アルケニル基、炭素原子数５ないし１２のシクロアルキル基、炭素原子数７ないし１５のフェニルアルキル基、フェニル基もしくは、１ないし４個の炭素原子数１ないし４のアルキル基によってフェニル環上で置換された該フェニル基もしくは該フェニルアルキル基を表すか；もしくはＥ1は１もしくは２個のヒドロキシ基によって置換された炭素原子数１ないし２４のアルキル基を表し、Ｅ1が、炭素原子数７ないし１５のフェニルアルキル基もしくはフェニル基、もしくは１ないし４個の炭素原子数１ないし４のアルキル基によってフェニル環上で置換された該フェニル基もしくは該フェニルアルキル基を表す場合、Ｇ2はまた水素原子をも表し得、
Ｅ2およびＥ2’は独立して、炭素原子数１ないし２４の直鎖もしくは分枝鎖アルキル基、炭素原子数２ないし１８の直鎖もしくは分枝鎖アルケニル基、炭素原子数５ないし１２のシクロアルキル基、炭素原子数７ないし１５のフェニルアルキル基、フェニル基もしくは、１ないし３個の炭素原子数１ないし４のアルキル基によってフェニル環上で置換された該フェニル基もしくは該フェニルアルキル基を表すか；もしくはＥ2およびＥ2’が独立して、１個もしくはそれ以上の−ＯＨ、−ＯＣＯＥ11、−ＯＥ4、−ＮＣＯ、−ＮＨ2、−ＮＨＣＯＥ11、−ＮＨＥ4もしくは−Ｎ（Ｅ4）2もしくはそれらの混合物によって置換された上記炭素原子数１ないし２４のアルキル基もしくは上記炭素原子数２ないし１８のアルケニル基を表し、ここでＥ4は、炭素原子数１ないし２４の直鎖もしくは分枝鎖アルキル基を表すか；もしくは１個もしくはそれ以上の−Ｏ−、−ＮＨ−、もしくは−ＮＥ4−基もしくはその混合物によって中断された上記アルキル基もしくは上記アルケニル基であっ
て未置換もしくは１個もしくはそれ以上の−ＯＨ、−ＯＥ4もしく−ＮＨ2基もしくはそれらの混合物で置換され得るものを表し；
ｎは１もしくは２を表し、
ｎが１の場合、Ｅ5はＯＥ6もしくはＮＥ7Ｅ8を表し、もしくはＥ5は−ＰＯ（ＯＥ12）2、−ＯＳｉ（Ｅ11）3もしくは−ＯＣＯ−Ｅ11、もしくは−Ｏ−、−Ｓ−もしくは−ＮＥ11によって中断されかつ未置換もしくは−ＯＨ−もしくは−ＯＣＯ−Ｅ11によって置換され得る炭素原子数１ないし２４の直鎖もしくは分枝鎖アルキル基、未置換もしくは−ＯＨによって置換された炭素原子数５ないし１２のシクロアルキル基、未置換もしくは−ＯＨによって置換された炭素原子数２ないし１８の直鎖もしくは分枝鎖アルケニル基、炭素原子数７ないし１５のアラルキル基、−ＣＨ2−ＣＨＯＨ−Ｅ13もしくはグリシジル基を表し、Ｅ6は水素原子、未置換もしくはＯＨ、ＯＥ4もしくはＮＨ2基の１つもしくはそれ以上によって置換された炭素原子数１ないし２４の直鎖もしくは分枝鎖アルキル基を表すか、もしくは−ＯＥ6は−（ＯＣＨ2ＣＨ2）WＯＨもしくは−（ＯＣＨ2ＣＨ2）WＯＥ21を表し、ここでｗは１ないし１２を表し、およびＥ21は炭素原子数１ないし１２のアルキル基を表し、Ｅ7およびＥ8は独立して、水素原子、炭素原子数１ないし１８のアルキル基、−Ｏ−、−Ｓ−、もしくは−ＮＥ11−によって中断された炭素原子数３ないし１８の直鎖もしくは分枝鎖アルキル基、炭素原子数５ないし１２のシクロアルキル基、炭素原子数６ないし１４のアリール基、もしくは炭素原子数１ないし３のヒドロキシルアルキル基を表すか、もしくはＥ7およびＥ8はＮ原子と一緒になってピロリジン、ピペリジン、ピペラジンもしくはモルホリン環を表し、
Ｅ5は、−Ｘ−（Ｚ）P−Ｙ−Ｅ15
｛式中、Ｘは−Ｏ−もしくは−Ｎ（Ｅ16）−を表し、Ｙは−Ｏ−もしくは−Ｎ（Ｅ17）−を表し、Ｚは、炭素原子数２ないし１２のアルキレン基、１つないし３つの窒素原子、酸素原子もしくはそれらの混合物によって中断された炭素原子数４ないし１２のアルキレン基、もしくは各々ヒドロキシル基によって置換された炭素原子数３ないし１２のアルキレン基、ブテニレン基、ブチニレン基、シクロへキシレン基、もしくはフェニレン基を表す。｝を表し、
ｍは０、１ないし２を表し、
ｐは１を表すか、もしくはＸおよびＹがそれぞれ
−Ｎ（Ｅ16）−および−Ｎ（Ｅ17）−である場合、ｐはまた０をも表し、
Ｅ15は基−ＣＯ−Ｃ（Ｅ18）＝Ｃ（Ｈ）Ｅ19を表すかもしくは、Ｙが−Ｎ（Ｅ17）−である場合、Ｅ17と一緒になって基−ＣＯ−ＣＨ＝ＣＨ−ＣＯ−を形成し、ここでＥ18は水素原子もしくはメチル基を表し、そしてＥ19は水素原子、メチル基もしくはＣＯ−Ｘ−Ｅ20［式中、Ｅ20は水素原子、炭素原子数１ないし１２のアルキル基もしくは次式の基
【化２】
2003522242.tif 000002
〈式中、Ｅ1、Ｇ2、Ｘ、Ｙ、ｍおよびｐの記号は、上記で定義された意味を持つ〉］を表し、およびＥ16およびＥ17は互いに独立して水素原子、炭素原子数１ないし１２のアルキル基、１ないし３個の酸素原子によって中断された炭素原子数３ないし１２のアルキル基を表すか、もしくはシクロへキシル基もしくは炭素原子数７ないし１５のアラルキル基を表し、また、Ｚがエチレン基を表す場合、Ｅ17と一緒にＥ16もまたエチレン基を形成し、ｎが２を表す場合、Ｇ2の１つはまた水素原子をも表し、Ｅ5は二価の基−Ｏ−Ｅ9−Ｏ−もしくは−Ｎ（Ｅ11）−Ｅ10−Ｎ（Ｅ11）−の１つを表し、
Ｅ9は炭素原子数２ないし８のアルキレン基、炭素原子数４ないし８のアルケニレン基、
炭素原子数４のアルキニレン基、シクロへキシレン基、−Ｏ−によってもしくは−ＣＨ2−ＣＨＯＨ−ＣＨ2−Ｏ−Ｅ14−Ｏ−ＣＨ2−ＣＨＯＨ−ＣＨ2−によって中断された炭素原子数４ないし１０の直鎖もしくは分枝鎖アルキレン基を表し、
Ｅ10は−Ｏ−、シクロへキシル基、もしくは次式
【化３】
2003522242.tif 000003
によって中断され得る炭素原子数２ないし１２の直鎖もしくは分枝鎖アルキレン基を表すか、もしくは２つの窒素原子と一緒にＥ10およびＥ11がピペラジン環を形成し、
Ｅ14は炭素原子数２ないし８の直鎖もしくは分枝鎖アルキレン基、−Ｏ−、シクロアルキレン基、アリーレン基もしくは次式
【化４】
2003522242.tif 000004
によって中断される炭素原子数４ないし１０の直鎖もしくは分枝鎖がアルキレン基を表し、ここでＥ7およびＥ8は独立して、水素原子、炭素原子数１ないし１８のアルキル基を表すかもしくは、Ｅ7およびＥ8は一緒になって、炭素原子数４ないし６のアルキレン基、３−オキサペンタメチレン基、３−イミノペンタメチレン基もしくは３−メチルイミノペンタメチレン基を表し、Ｅ11は水素原子、炭素原子数１ないし１８の直鎖もしくは分枝鎖アルキル基、炭素原子数５ないし１２のシクロアルキル基、炭素原子数２ないし１８の直鎖もしくは分枝鎖アルケニル基、炭素原子数６ないし１４のアリール基もしくは炭素原子数７ないし１５のアラルキル基を表し、
Ｅ12は炭素原子数１ないし１８の直鎖もしくは分枝鎖アルキル基、炭素原子数３ないし１８の直鎖もしくは分枝鎖アルケニル基、炭素原子数５ないし１０のシクロアルキル基、炭素原子数６ないし１６のアリール基もしくは炭素原子数７ないし１５のアラルキル基を表し、
Ｅ13はＨを表すか、−ＰＯ（ＯＥ12）2により置換された炭素原子数１ないし１８の直鎖もしくは分枝鎖アルキル基、未置換もしくはＯＨにより置換されたフェニル基、炭素原子数７ないし１５のアラルキル基、もしくはＣＨ2ＯＥ12を表し、
Ｅ3は炭素原子数１ないし２０のアルキル基、炭素原子数２ないし２０のヒドロキシアルキル基、炭素原子数２ないし９のアルコキシカルボニル基によって置換されたアルキル基、炭素原子数３ないし１８のアルケニル基、炭素原子数５ないし１２のシクロアルキル基、炭素原子数７ないし１５のフェニルアルキル基、炭素原子数６ないし１０のアリール基
、もしくは１ないし２個の炭素原子数１ないし４のアルキル基によって置換された上記アリール基、もしくはぺルフルオロアルキル部分が６ないし１６の炭素原子を持つ１，１，２，２−テトラヒドロぺルフルオロアルキル基を表し、および
Ｌは炭素原子数１ないし１２のアルキレン基、炭素原子数２ないし１２のアルキリデン基、ベンジリデン基、ｐ−キシリレン基、ａ，ａ，ａ’，ａ’−テトラメチル−ｍ−キシリレン基もしくはシクロアルキリデン基を表す。）で表され；但し、式（Ｉ）は５−クロロ−２−（２−ヒドロキシ−３，５−ジ−第３−ブチルフェニル）−２Ｈ−ベンゾトリアゾール、５−クロロ−２−（２−ヒドロキシ−３−第３−ブチル−５−メチルフェニル）−２Ｈ−ベンゾトリアゾールもしくは２−（２−ヒドロキシ−３，５−ジ−α−クミル）−２Ｈ−ベンゾトリアゾールを表さない請求項１記載のプラスチック容器もしくはフィルム。
【請求項３】
前記トリス−アリール−ｓ−トリアジン紫外線吸収剤が次式（ＩＶ）、（Ｖ）、（ＶＩ）、（ＶＩＩ）、（ＶＩＩＩ）もしくは（ＩＸ）
【化５】
2003522242.tif 000005
（式中、ＸおよびＹは独立して、フェニル基、ナフチル基もしくは、１ないし３個の炭素原子数１ないし６のアルキル基、ハロゲン原子、ヒドロキシ基もしくは炭素原子数１ないし６のアルコキシ基もしくはそれらの混合物によって置換された該フェニル基もしくは該
ナフチル基を表すか；もしくは、ＸおよびＹは独立して、Ｚ1もしくはＺ2を表し、；
Ｒ1は水素原子、炭素原子数１ないし２４の直鎖もしくは分枝鎖アルキル基、炭素原子数５ないし１２のシクロアルキル基、炭素原子数７ないし１５のフェニルアルキル基、ハロゲン原子、−ＳＲ3、−ＳＯＲ3、もしくは−ＳＯ2Ｒ3；もしくは１ないし３個のハロゲン原子、−Ｒ4、−ＯＲ5、−Ｎ（Ｒ5）2、−ＣＯＲ5、−ＣＯＯＲ5、−ＯＣＯＲ5、−ＣＮ、−ＮＯ2、−ＳＲ5、−ＳＯＲ5、−ＳＯ2Ｒ5もしくは−Ｐ（Ｏ）（ＯＲ5）2、モルホリニル基、ピペリジニル基、２，２，６，６，−テトラメチルピペリジニル基、ピペラジニル基もしくはＮ−メチルピペリジニル基もしくはそれらの組合せによって置換された該アルキル基、該シクロアルキル基、もしくは該フェニルアルキル基；もしくは１ないし４個のフェニレン基、−Ｏ−、−ＮＲ5−、−ＣＯＮＲ5−、−ＣＯＯ−、−ＯＣＯ−もしくは−ＣＯ基もしくはその組合せによって中断された該アルキル基もしくは該シクロアルキル基；もしくは上記で言及した基の組合せによって置換され、そして中断された該アルキル基もしくは該シクロアルキル基を表し；
Ｒ3は炭素原子数１ないし２０のアルキル基、炭素原子数３ないし１８のアルケニル基、炭素原子数５ないし１２のシクロアルキル基、炭素原子数７ないし１５のフェニルアルキル基、炭素原子数６ないし１０のアリール基もしくは、１個もしくは２個の炭素原子数１ないし４のアルキル基によって置換された該アリール基を表し、Ｒ4は炭素原子数６ないし１０のアリール基もしくは、１ないし３個のハロゲン原子、炭素原子数１ないし８のアルキル基、炭素原子数１ないし８のアルコキシ基もしくはそれらの組合せによって置換された該アリール基；炭素原子数５ないし１２のシクロアルキル基；炭素原子数７ないし１５のフェニルアルキル基もしくは１ないし３個のハロゲン原子、炭素原子数１ないし８のアルキル基、炭素原子数１ないし８のアルコキシ基もしくはそれらの組合せによってフェニル環上で置換された該フェニルアルキル基；もしくは炭素原子数２ないし１８の直鎖もしくは分枝鎖アルケニル基を表し；
Ｒ5はＲ4で表されたように定義されるか；もしくはＲ5はまた水素原子もしくは炭素原子数１ないし２４の直鎖もしくは分枝鎖アルキル基、炭素原子数２ないし２４のアルケニル基をも表すか；もしくはＲ5は次式
【化６】
2003522242.tif 000006
｛式中、Ｔは水素原子、オキシル基、ヒドロキシル基、−ＯＴ1、炭素原子数１ないし２４のアルキル基、１ないし３個のヒドロキシ基によって置換された該アルキル基；ベンジル基もしくは炭素原子数２ないし１８のアルカノイル基を表す。｝で表され、Ｔ1は炭素原子数１ないし２４のアルキル基、炭素原子数５ないし１２のシクロアルキル基、炭素原子数２ないし２４のアルケニル基、炭素原子数５ないし１２のシクロアルケニル基、炭素原子数７ないし１５のフェニルアルキル基、炭素原子数７ないし１２の飽和もしくは不飽和二環式もしくは三環式炭化水素基、もしくは炭素原子数６ないし１０のアリール基、もしくは１ないし３個の炭素原子数１ないし４のアルキル基によって置換された該アリール基を表し；Ｒ2は水素原子、炭素原子数１ないし２４の直鎖もしくは分枝鎖アルキル基、炭素原子数５ないし１２のシクロアルキル基、；もしくは１ないし４個のハロゲン原子、エポキシ基、グリシジルオキシ基、フリルオキシ基、−Ｒ4、−ＯＲ5、−Ｎ（Ｒ5）2、−ＣＯＮ（Ｒ5）2、−ＣＯＲ5、−ＣＯＯＲ5、−ＯＣＯＲ5、−ＯＣＯＣ（Ｒ5）＝Ｃ（Ｒ5）2、−Ｃ（Ｒ5）＝ＣＣＯＯ（Ｒ5）、−ＣＮ、−ＮＣＯもしくは次式
【化７】
2003522242.tif 000007
、もしくはそれらの組合せによって置換された該アルキル基もしくは該シクロアルキル基；もしくは１ないし４個のエポキシ基、−Ｏ−、−ＮＲ5、−ＣＯＮＲ5−、−ＣＯＯ−、−ＯＣＯ−、−ＣＯ−、−Ｃ（Ｒ5）＝Ｃ（Ｒ5）ＣＯＯ−、−ＯＣＯＣ（Ｒ5）＝Ｃ（Ｒ5）−、−Ｃ（Ｒ5）＝Ｃ（Ｒ5）−、フェニレン基、もしくはＧが−Ｏ−、−Ｓ−、−ＳＯ2−、−ＣＨ2−、もしくは−Ｃ（ＣＨ3）2−であるところのフェニレン−Ｇ−フェニレン基もしくはそれらの組合せによって中断された該アルキル基もしくはシクロアルキル基、もしくは上記で言及された基の組合せによって置換および中断された該アルキル基もしくは該シクロアルキル基を表すか；もしくはＲ2は−ＳＯ2Ｒ3もしくは−ＣＯＲ5を表し；
Ｒ6は炭素原子数１ないし１８の直鎖もしくは分枝鎖アルキル基、炭素原子数２ないし１２の直鎖もしくは分枝鎖アルケニル基、フェノキシ基、炭素原子数１ないし１２のアルキルアミノ基、炭素原子数６ないし１２のアリールアミノ基、−Ｒ7ＣＯＯＨもしくは−ＮＨ−Ｒ8−ＮＣＯを表し；
Ｒ7は炭素原子数２ないし１４のアルキレン基もしくはフェニレン基を表し；
Ｒ8は炭素原子数２ないし２４のアルキレン基、フェニレン基、トリレン基、ジフェニルメタン基もしくは次式
【化８】
2003522242.tif 000008
の基で表され、Ｒ1’およびＲ1’’は同じかもしくは異なり、およびＲ1によって定義されたものを表し；
Ｒ2’およびＲ2’’は同じかもしくは異なり、およびＲ2によって定義されたものを表し；
Ｘ、Ｘ’、ＹおよびＹ’は、同じかもしくは異なり、およびＸおよびＹによって定義されたものを表し；
ｔは０ないし９を表し；
Ｌは炭素原子数１ないし１２の直鎖もしくは分枝鎖アルキレン基、炭素原子数５ないし１２のシクロアルキレン基もしくは、シクロへキシレン基もしくはフェニレン基によって置換もしくは中断されたアルキレン基を表すか、；もしくはＬはベンジリデン基を表すか；もしくはＬは−Ｓ−、−Ｓ−Ｓ−、−Ｓ−Ｅ−Ｓ−、−ＳＯ−、−ＳＯ2−、−ＳＯ−Ｅ−ＳＯ−、−ＳＯ2−Ｅ−ＳＯ2−、ＣＨ2−ＮＨ−Ｅ−ＮＨ−ＣＨ2−もしくは次式
【化９】
2003522242.tif 000009
を表し、
Ｅは、炭素原子数２ないし１２のアルキレン基、炭素原子数５ないし１２のシクロアルキレン基、もしくは炭素原子数５ないし１２のシクロアルキレン基によって中断もしくは停
止されたアルキレンを表し；
ｎは、２，３もしくは４を表し；
ｎが２の場合；Ｑは炭素原子数２ないし１６の直鎖もしくは分枝鎖アルキレン基；もしくは１ないし３個のヒドロキシ基によって置換された上記アルキレン基；もしくは１ないし３個の−ＣＨ＝ＣＨ−もしくは−Ｏ−によって中断された上記アルキレン基；もしくは上記で言及した基の組合せにより置換および中断された上記アルキレン基を表すか；もしくはＱはキシリレン基もしくは基−ＣＯＮＨ−Ｒ8−ＮＨＣＯ−、−ＣＨ2ＣＨ（ＯＨ）ＣＨ2Ｏ−Ｒ9−ＯＣＨ2ＣＨ（ＯＨ）ＣＨ2−、−ＣＯ−Ｒ10−ＣＯ−、もしくはｍが１ないし３表すところの−（ＣＨ2）m−ＣＯＯ−Ｒ11−ＯＯＣ−（ＣＨ2）m−を表すか；もしくはＱは、次式
【化１０】
2003522242.tif 000010
を表し、
Ｒ9は炭素原子数２ないし５０のアルキレン基；もしくは１ないし１０個の−Ｏ−、フェニレン基もしくはＧが−Ｏ−、−Ｓ−、−ＳＯ2−、−ＣＨ2−、もしくは−Ｃ（ＣＨ3）2−であるところの基−フェニレン−Ｇ−フェニレンで中断された上記アルキレン基を表し；
Ｒ10は炭素原子数２ないし１０のアルキレンもしくは１ないし４個の−Ｏ−、−Ｓ−、もしくは−ＣＨ＝ＣＨ−によって中断された上記アルキレンを表すか；もしくはＲ10は炭素原子数６ないし１２のアリーレン基を表し；
Ｒ11は炭素原子数２ないし２０のアルキレン基もしくは１ないし８個の−Ｏ−によって中断された上記アルキレン基を表し、；
ｎが３の場合、Ｑは基−［（ＣＨ2）mＣＯＯ］3−Ｒ12を表し、ここでｍは１ないし３を表し、およびＲ12は炭素原子数３ないし１２のアルカントリイル基を表し、ｎが４の場合、Ｑは基−［（ＣＨ2）mＣＯＯ］4−Ｒ13を表し、ここでｍは１ないし３を表し、およびＲ14は炭素原子数４ないし１２のアルカンテトライル基を表し；Ｚ1は次式
【化１１】
2003522242.tif 000011
の基を表し、
Ｚ2は次式
【化１２】
2003522242.tif 000012
の基を表し、ここでｒ1およびｒ2は互いに独立して、０もしくは１を表し；
Ｒ14、Ｒ15、Ｒ16、Ｒ17、Ｒ18、Ｒ19、Ｒ20、Ｒ21、Ｒ22およびＲ23は互いに独立して水素原子、ヒドロキシ基、シアノ基、炭素原子数１ないし２０のアルキル基、炭素原子数１ないし２０のアルコキシ基、炭素原子数７ないし１５のフェニルアルキル基、炭素原子数５ないし１２のシクロアルキル基、炭素原子数５ないし１２のシクロアルコキシ基、ハロゲン原子、炭素原子数１ないし５のハロアルキル基、スルホ基、カルボキシ基、炭素原子数２ないし１２のアシルアミノ基、炭素原子数２ないし１２のアシルオキシ基、炭素原子数２ないし１２のアルコキシカルボニル基、もしくはアミノカルボニル基を表すか；もしくはＲ17およびＲ18もしくはＲ22およびＲ23はそれらが結合しているフェニル基と一緒になって、１ないし３個の−Ｏ−もしくは−ＮＲ5−によって中断された環式基を表す。）で表されるものであり、但し式（ＩＶ）の化合物は４，６ジフェニル−２−（４−ヘキシルオキシ−２−ヒドロキシフェニル）−ｓ−トリアジンを表さない請求項１記載のプラスチック容器もしくはフィルム。
【請求項４】
少なくとも１つのヒドロキシフェニルベンゾトリアゾールおよび少なくとも１つのトリス−アリール−ｓ−トリアジンもしくは２つもしくはより多くのヒドロキシフェニルベンゾトリアゾールの、もしくは２つもしくはより多くのトリス−アリール−ｓ−トリアジンの混合物からなる請求項１記載のプラスチック容器もしくはフィルム。
【請求項５】
成分（ｂ）の紫外線吸収剤が包装材料の外側表面に塗布されたコーティング中に配合されている請求項１記載の包装材料。